(57)【要約】【課題】放熱能力を高めるための操作性を損なうことなく、エコモードから標準モードへモード変更時期に、放熱能力を上げる操作に制限を加える。【解決手段】設定レベル５から設定レベル６への操作に特化して、通常の操作よりも長く操作（長押し操作）することでレベル移行を可能とした。室内設定温度の設定レベル１→２→３→４までは、昇温ボタン７０Ｕを、２秒未満の繰り返し操作で移行するが、設定レベル４→５での２秒未満操作では、設定レベル４を維持する。一方、設定レベル４の状態で、昇温ボタン７０Ｕを２秒以上操作し続けると（長押し操作すると）、設定レベル５に移行する。温度調節スイッチ７０には、昇温ボタン７０Ｕを上下で挟むように「５以上」、「長押し」という文字が付記されている。従って、利用者は、設定レベル５以上への移行操作には、昇温ボタン７０Ｕの長押し操作が必要であることが、目視によって認識可能となる。【選択図】図２
2019095149.tif 000002
【特許請求の範囲】
【請求項１】
熱交換された冷媒を循環させる循環路を備え、放熱によって雰囲気の温度を調整する熱放出端末と、
前記熱放出端末の放熱能力のレベルを段階的に設定可能な操作部と、
前記操作部で設定されたレベルに基づいて、前記冷媒の循環量を制御する制御部と、
前記操作部における前記レベルを段階的に高める設定途中において、予め定めた段階を超える設定がされた場合に、前記操作部の操作を制限する制限手段と、
を有する空調制御装置。
【請求項２】
前記予め定めた段階が、前記放熱能力が標準よりも抑制されたエコモードから、標準の放熱能力で運転する標準モードへの変更となる段階であることを特徴とする請求項１記載の空調制御装置。
【請求項３】
現在の段階が何れの段階であっても、段階的な設定の操作を行わずに、前記標準モードの最大の段階へダイレクトに変更可能なダイレクト変更操作部をさらに有する請求項２記載の空調制御装置。
【請求項４】
前記エコモードに分類される段階を含め、全ての段階で、前記標準モードとして運転するように変更可能な標準モード移行操作部をさらに有する請求項２記載の空調制御装置。
【請求項５】
前記制限手段が、前記放熱能力を高める通常の段階的な操作とは異なる操作を行うことで、操作が有効となる特別の操作であることを特徴とする請求項１〜請求項４の何れか１項記載の空調制御装置。
【請求項６】
前記熱放出端末が、所定の居室の床に敷設され、前記循環路に前記冷媒を循環させることで、居室内を暖房する床暖房機器であることを特徴とする請求項１〜請求項５の何れか１項記載の空調制御装置。
【発明の詳細な説明】
【技術分野】
【０００１】
本発明は、熱交換された冷媒を循環させる循環路を備え、放熱によって雰囲気の温度を調整する熱放出端末を備えた空調制御装置に関する。
【背景技術】
【０００２】
例えば、床暖房装置において、床に熱放出端末を敷設して、この熱放出端末を循環する冷媒(例えば、温水)の温度又は流量を設定し、室内の空調を行っている。この空調のためのモードとして、室内温度を上げやすい標準モードと、冷媒の温度が制限され省エネ性優先となるエコモードとがあり、ユーザの操作によってモード変更を可能としている。
【０００３】
基本的には、エコモードで運転することが好ましいが、急速に室内温度を高めたい場合は標準モードに変更する場合もあり得る。
【０００４】
ところで、温度を上げるためのモード変更操作（エコモードから標準モードへの変更操作）を無制限に可能にすると、省エネ性が損なわれ易くなるため、何らかの操作制限が必要である。一方で、操作制限のために、複雑な操作を強いると、操作性を損なうことになる。
【０００５】
特許文献１には、高温足し湯の設定温度を２段階以上に設定できる電気温水器において、設定変更を安全に行うことを目的とし、高温足し湯の設定温度を変更する際、低温から高温への切り替えには操作に制限を設け（切り替えスイッチの長押し）、容易に切り替えられないようにして、高温から低温への切り替えには制限を設けないようにすることが記載されている。
【０００６】
特許文献１では、危険を伴う温度上昇時には切り替えスイッチを長押しすることが記載されている。すなわち、温度上昇時は必ず長押しが必要となる制御形態となっている。
【先行技術文献】
【特許文献】
【０００７】
【特許文献１】特開２００３−２５４６０２号公報
【発明の概要】
【発明が解決しようとする課題】
【０００８】
しかしながら、特許文献１の制御をそのまま３段階以上の設定に適用すると、温度を１段階ずつ上昇させる度に長押しを強いられることになる。例えば、床暖房装置を含め、多段階（１０段階程度）の温度設定機能がある場合、温度上昇指示の操作時に常に長押しが必要となると、操作性が損なわれる。
【０００９】
本発明は、放熱能力を高めるための操作性を損なうことなく、エコモードから標準モードへモード変更時期に、放熱能力を上げる操作に制限を加えることができる空調制御装置を得ることにある。
【課題を解決するための手段】
【００１０】
本発明の空調制御装置は、熱交換された冷媒を循環させる循環路を備え、放熱によって雰囲気の温度を調整する熱放出端末と、前記熱放出端末の放熱能力のレベルを段階的に設定可能な操作部と、前記操作部で設定されたレベルに基づいて、前記冷媒の循環量を制御する制御部と、前記操作部における前記レベルを段階的に高める設定途中において、予め定めた段階を超える設定がされた場合に、前記操作部の操作を制限する制限手段と、を有している。
【００１１】
本発明によれば、熱交換された冷媒を熱放出端末の循環路を介して循環させることで、熱放出端末で加熱される雰囲気の温度を調整する。
【００１２】
操作部では、熱放出端末の放熱能力のレベルを段階的に設定可能である。
【００１３】
制御部では、操作部で設定されたレベルに基づいて、冷媒の循環量を制御する。
【００１４】
上記温度制御の下、制限手段では、操作部におけるレベルを段階的に高める設定途中において、予め定めた段階を超える設定がなされた場合に、操作部の操作を制限する。
【００１５】
このため、通常の段階的な設定操作の操作性を損なうことなく、不用意に放熱能力を高める操作を制限することができる。
【００１６】
本発明において、前記予め定めた段階が、前記放熱能力が標準よりも抑制されたエコモードから、標準の放熱能力で運転する標準モードへの変更となる段階であることを特徴とする。
【００１７】
制限手段によるエコモードから標準モードへの移行を制限することができる。
【００１８】
本発明において、現在の段階が何れの段階であっても、段階的な設定の操作を行わずに、前記標準モードの最大の段階へダイレクトに変更可能なダイレクト変更操作部をさらに有する。
【００１９】
段階的な設定の操作を行わずに、標準モードの最大の段階、すなわち、最大の放熱能力での運転に一気に移行することができる。
本発明において、前記エコモードに分類される段階を含め、全ての段階で、前記標準モードとして運転するように変更可能な標準モード移行操作部をさらに有する。
全ての段階で標準モードとして運転が可能となるため、本来、エコモードで運転される段階において、空調制御能力を高めることができる。
【００２０】
本発明において、前記制限手段が、前記放熱能力を高める通常の段階的な操作とは異なる操作を行うことで、操作が有効となる特別の操作であることを特徴としている。
【００２１】
制限手段は、例えば、通常の段階的な操作とは異なる操作を要求する。例えば、通常の段階的な操作が押圧操作の繰り返しの場合、通常の段階的操作では操作時間に関係なく１回の押圧操作で１段階分、放熱能力を上げることが可能であるが、制限手段での操作は、長押し、連続操作、予め定めたパターン操作（モールス信号等）を要求することで、不用意な段階的操作を抑制することができる。
【００２２】
本発明において、前記熱放出端末が、所定の居室の床に敷設され、前記循環路に前記冷媒を循環させることで、居室内を暖房する床暖房機器であることを特徴としている。
【００２３】
本発明の制限手段を、床暖房機器に適用することで、省エネ性を向上することができる。
【発明の効果】
【００２４】
以上説明した如く本発明では、放熱能力を高めるための操作性を損なうことなく、エコモードから標準モードへモード変更時期に、放熱能力を上げる操作に制限を加えることができる。
【図面の簡単な説明】
【００２５】
【図１】（Ａ）は本実施例に係る床暖房システム１０の概略図、（Ｂ）床暖房システムを制御する制御装置の制御ブロック図である。
【図２】本実施の形態に係る操作リモコンの正面図であり、（Ａ）はエコモード時、（Ｂ）は標準モード時を示す。
【図３】本実施の形態に係るエコモード解除操作手順の流れを示す制御フローチャートである。
【図４】（Ａ）は通常運転（エコモード及び標準モード）時の温水の流れを示す配管図、（Ｂ）はホットダッシュ運転時の温水の流れを示す配管図である。
【図５】ホットダッシュ運転時の設定温度遷移図である。
【発明を実施するための形態】
【００２６】
「第１の実施の形態」
図１には、本実施例に係る床暖房システム１０の概略が示されている。
【００２７】
床暖房システム１０の熱源機１２は、温水循環管路を通じて床暖房１４に温水を供給している。
【００２８】
床暖房１４には、制御装置１６により温水の温度及び流量の少なくとも一方が制御されることで、通常運転として、エコモード及び標準モードが設定されている。
【００２９】
温水は通常運転では、基準値として４０℃〜６０℃に設定され、室内設定温度に基づき、デューティ制御（流量制御）される。なお、温水は、最大８０℃（後述するホットダッシュ運転時）までの間で設定可能である。
【００３０】
通常運転には、２つの異なるモード（エコモード及び標準モード）があり、操作リモコン１８の操作によって設定可能である（詳細後述）。なお、操作リモコン１８には、温度調整対象の部屋（操作リモコン１８が取り付けられる部屋）の温度を検出する室温センサ１８Ａが内蔵されている。例えば、エコモードと標準モードとの違いは、温水の温度差で区別することができる。本実施の形態では、エコモードは温水が４０℃固定であり、標準モードは温水が４０℃〜６０℃可変である。
【００３１】
また、運転状態として、運転開始時に実行されるホットダッシュ運転が設定されており、温水を６０℃〜８０℃（特に、８０℃）として運転され、通常運転（エコモード及び標準モード）とは区別している。
【００３２】
ホットダッシュ運転は、運転開始時に、所定時間（例えば、６０分）実行され、冷えている室内の温度を急速に暖めることができる。なお、ホットダッシュ運転は、運転停止状態が長く継続された後の運転開始に限定される場合がある。
【００３３】
床暖房システム１０の熱源機１２内には制御装置１６が設けられている。制御装置１６は、床暖房１４の操作リモコン１８から運転指令を受ける。
【００３４】
熱源機１２内には、タンク２０、ポンプ２２、熱交換器２４、バーナ２６、ファン２８が備えられている。バーナ２６にはガス比例弁３０を介してガス供給源３２から燃焼ガスが供給される。
【００３５】
また、バーナ２６にはファン２８から燃焼用空気が送られる。バーナ２６の燃焼ガスは熱交換器２４に送られる。熱交換器２４は、蛇行する水管とフィンを有する。
【００３６】
ポンプ２２の下流側は、温水を熱交換器２４へ送る第１分岐管路３４と床暖房１４へ送る第２分岐管路３６とに分岐されている。
【００３７】
ポンプ２２から第１分岐管路３４に案内される温水は、熱交換器２４で昇温され、行きの管路３８を通って床暖房１４に送られる。
【００３８】
ポンプ２２から第２分岐管路３６に案内される温水は、タンク２０での温度が維持されて床暖房１４に送られる。
【００３９】
床暖房１４を通過した温水は、戻りの管路４０を通って熱源機１２のタンク２０に戻される。タンク２０は、戻された温水を一時貯留する。
【００４０】
床暖房１４への行きの管路３８には温度センサ４２が設けられている。また、床暖房１４への第２分岐管路３６には、温度センサ４４が設けられている。
【００４１】
ここで、戻りの管路４０と第２分岐管路３６との間には、第１バイパス管路４４が介在されている。また、行きの管路３８の端末である第２分岐管路３６との接続部には、三方弁４６が設けられている。また、行きの管路３８と戻りの管路４０との間には、第２バイパス管路４８が介在され、バイパス弁５０が設けられている。
【００４２】
床暖房１４には、三方弁４６及びバイパス弁５０の切り替えによって、床暖房１４には第２分岐管路３６を経由して４０℃の温水が供給される流路と、行きの管路３８を経由して６０℃〜８０℃の温水を供給する流路とを選択することができる。
【００４３】
三方弁４６と床暖房１４との間には、開閉弁５１が設けられて、床暖房１４への温水の供給をＯＮ−ＯＦＦ制御する。
【００４４】
図１（Ｂ）に示される如く、制御装置１６には、運転制御部５２、燃焼制御部５４が設けられている。運転制御部５２には、三方弁４６、バイパス弁５０が、及び開閉弁５１が接続されており、この三方弁４６、バイパス弁５０、及び開閉弁５１の切り替えを制御する。また、運転制御部５２には、操作リモコン１８が接続されている。
【００４５】
燃焼制御部５４には温度センサ４２、４４が接続されると共に、操作リモコン１８に設けられた室温センサ１８Ａが接続されている。室温センサ１８Ａは、操作リモコン１８が取り付けられた部屋の温度を検出する。
【００４６】
燃焼制御部５４は、室温センサ１８Ａによる検出温度と、操作リモコン１８に設けられた温度調節スイッチ７０（図２参照）で設定された設定段階（設定レベル）に応じた目標室温との差分に基づいて、例えば、温水がデューティ制御（流量制御）される。なお、通常運転時の基準となる温水の温度（エコモードでは４０℃、標準モードでは４０℃〜６０℃）を、差分に応じて温度調節するようにしてもよい（フィードバック制御）。
また、室温センサ１８Ａに基づくフィードバック制御は必須ではなく、温度調節スイッチ７０での設定レベルで、予め定め固定的なパターンで流量制御するようにしてもよい。
【００４７】
また、燃焼制御部５４は、ファン２８及びガス比例弁３０を制御し、バーナ２６の発生熱量を調整する。
【００４８】
図２は、本実施の形態に係る操作リモコン１８の正面図である。
【００４９】
図２（Ａ）と図２（Ｂ）とは、室内設定温度（設定レベル）が異なるだけであり、入出力デバイスの配置構成は同一であるため、図２（Ａ）を例にとり説明し、図２（Ｂ）には同一の符号を付す。
【００５０】
図２（Ａ）に示される如く、操作リモコン１８は外観が矩形状で、前面にメインパネル５６が設けられている。メインパネル５６は、図示しない開閉蓋によって、隠蔽可能となっている。
【００５１】
メインパネル５６の下部であり、開閉蓋の開閉に関係なく、常に露出する領域には、運転スイッチ５８、タイマーランプ６０、６２が設けられている。
【００５２】
メインパネル５６の上部は、表示部６４が配置されている。表示部６４はＬＣＤで構成され、時刻や室温等、設定された数値等が表示される。
【００５３】
表示部６４には、エコモード時と標準モード時とによって濃度が変化するインジケータ６６が設けられている。例えば、エコモード時はインジケータ６６の濃度が濃くなって表示される（図２（Ａ）参照）。一方、標準モード時はインジケータ６６の濃度が低くなって表示される（図２（Ｂ）参照）。
【００５４】
なお、表示部６４よりも上側には、「エコ運転時■↓」という文字及び記号が付記されており、エコモード時のインジケータ６６の濃度が濃くなることを視覚的に認識可能としている。
【００５５】
表示部６４よりも下側のメインパネル５６は、複数の操作スイッチ群の配置領域６８となっている。
【００５６】
操作スイッチ群は、温度調節スイッチ７０、タイマースイッチ７２、ひかえめスイッチ７４、床暖房強さスイッチ７６、パワフルスイッチ７８、ロックスイッチ８０、時計合わせスイッチ８２、タイマー合わせスイッチ８４、時刻スイッチ８６、確定スイッチ８８、及びタイマーリセットスイッチ９０を備え、配置領域６８にマトリクス状に配列されている。
【００５７】
温度調節スイッチ７０は、床暖房の温度調節を行うとき操作され、通常の操作では、上向き三角マーク（▲）領域（以下、昇温ボタン７０Ｕという）を操作する毎に室内設定温度(設定レベル）を１段階高くすることができ、下向き三角マーク（▼）（以下、降温ボタン７０Ｄという）を操作する毎に室内設定温度（設定レベル）を１段階低くすることができる。なお、温度調節スイッチ７０には、通常の操作とは別に特別の操作が備わっている（詳細後述）。
【００５８】
温度調節スイッチ７０で設定された室内設定温度は、表示部６４に設けられたレベルゲージ９２のバー９２Ａの数及び長さ、並びに数値表示によって視覚的に報知されるようになっている。レベルゲージ９２は、上下方向に積み重なるように設定レベルに応じたバー９２Ａが積み重なるように表示され、このバー９２Ａの積み重なる方向に沿って縦軸９２Ｂが表示される。縦軸９２Ｂの下端には最も設定レベルが低いことを示す「低」の文字が表示され、縦軸９２Ｂの上端には最も設定レベルが高いことを示す「高」の文字が表示されている。
【００５９】
タイマースイッチ７２は、床暖房のタイマーの入切の際に操作される。
【００６０】
ひかえめスイッチ７４は、床暖房をひかえめに設定するときに操作される。
【００６１】
床暖房強さスイッチ７６は、室温に関わらず、一定の強さで運転したいときに操作される。
【００６２】
パワフルスイッチ７８は、パワフル運転をするときに操作される。通常の操作では、現在のモード（標準モード又はエコモード）の最大設定レベル（各モードでの最大放熱能力）となる。なお、パワフルスイッチ７８には、通常の操作とは別に特別の操作が備わっている（詳細後述）。
【００６３】
ロックスイッチ８０は、操作ロックをするときに操作される。
【００６４】
時計合わせスイッチ８２は、表示部６４に表示される時刻を調整するときに操作される。
【００６５】
タイマー合わせスイッチ８４は、タイマー時刻合わせをするときに操作される。
【００６６】
時刻スイッチ８６は、時刻やタイマーの時分を設定するときに操作される。
【００６７】
確定スイッチ８８は、時刻やタイマー等の設定が確定したときに操作される。
【００６８】
タイマーリセットスイッチ９０は、タイマーをリセットするときに操作される。
【００６９】
なお、配置領域６８に配置された操作スイッチ群の配置位置、数、機能、形状等は、型式、年式、バージョン等によって変更される場合があり、図２（Ａ）及び（Ｂ）の操作リモコン１８の形状に限定されるものではない。
【００７０】
（温度調節スイッチ７０の特別の操作）
【００７１】
温度調節スイッチ７０は、通常の操作では、昇温ボタン７０Ｕ又は降温ボタン７０Ｄを操作毎に室内設定温度を１段階変更していくが、この室内設定温度の中間にエコモードと標準モードとの境界が存在する。
【００７２】
表示部６４では、設定レベル４と設定レベルレベル５との間である。
【００７３】
例えば、利用者が、昇温ボタン７０Ｕを繰り返し操作すると、設定レベルが１→２→３→４→・・・と段階的に上がっていき、何ら制限がないと、利用者が無意識にレベル４→レベル５の操作を行う場合がある。この場合、利用者の意思に関係なく、不用意にエコモードが解除され標準モードに移行することになる。
【００７４】
そこで、本実施の形態では、レベル４からレベル５への操作に特化して、通常の操作よりも長く操作（長押し操作）することでレベル移行を可能とした。
【００７５】
より具体的には、設定レベル１→２→３→４までは、昇温ボタン７０Ｕを、２秒未満の繰り返し操作で移行するが、レベル４→５での２秒未満操作では、レベル４を維持する。一方、レベル４の状態で、昇温ボタン７０Ｕを２秒以上操作し続けると（長押し操作すると）、レベル５に移行する。なお、長押しの時間である２秒は一例である。
【００７６】
温度調節スイッチ７０には、昇温ボタン７０Ｕを上下で挟むように「５以上」、「長押し」という文字が付記されている。従って、利用者は、レベル５以上への移行操作には、昇温ボタン７０Ｕの長押し操作が必要であることが、目視によって認識可能となる。
【００７７】
ここで、温度調節スイッチ７０の操作を報知する表示部６４のレベルゲージ９２には、レベルを示すバー９２Ａがレベル４を示すときと、レベル５を示すときの間には、縦軸９２Ｂと直交する境界線９２Ｃが表示されている。また、縦軸９２Ｂの上端には上限線９２Ｄが表示されている。この境界線９２Ｃと上限線９２Ｄとの間が標準モードの範囲であり、言い換えれば、エコモードから逸脱した設定レベルとなる。このため、表示部６４には、境界線９２Ｃと上限線９２Ｄの間が「エコ切」であることを示す文字が表示されている。
【００７８】
（パワフルスイッチ７８の特別の操作）
【００７９】
パワフルスイッチ７８は、通常操作では、現在のモードがエコモードの場合に操作されると、設定レベルに関係なく、エコモードの最大設定レベル（エコモードにおける最大放熱能力）であるレベル４に一気に移行する。
【００８０】
また、現在のモードが標準モードの場合に操作されると、設定レベルに関係なく、最大設定レベル（標準モードにおける最大放熱能力）に一気に移行する。
【００８１】
パワフルスイッチ７８の利用形態としては、以下の形態が考え得る。
【００８２】
（利用形態１）  外出先から帰宅して標準モードの最大温度で運転したい。
【００８３】
（利用形態２）室内にいる人数が変化したので昇温したいが、うっかりエコモードから逸脱するのは困る。
【００８４】
そこで、本実施の形態では、パワフルスイッチ７８を通常の操作よりも長く操作（長押し操作）することでレベル移行を可能とした。
【００８５】
より具体的には、パワフルスイッチ７８を２秒未満の操作では現在のモード（エコモード又は標準モード）を維持した最大の設定レベルに移行する。一方、パワフルスイッチ７８を２秒以上操作し続けると（長押し操作すると）、モード（エコモード又は標準モード）に関係なく、レベルｍａｘ（例えば、レベル９）となる。
【００８６】
パワフルスイッチ７８よりも上側（表示部６４よりも下側）には、「長押しでエコ切」という文字が付記されている。従って、利用者は、レベル５以上への移行操作には、パワフルスイッチ７８の長押しが必要であることを、目視によって認識可能となる。
【００８７】
以下、本実施の形態の作用を説明する。
【００８８】
図３は、通常運転中に温度設定するときの制御の流れを示すフローチャートである。
【００８９】
ステップ１００では、温度調節スイッチ７０の昇温ボタン７０Ｕの操作を開始したか否かを判断する。なお、室内設定温度が最大設定レベルの場合は、この操作は無効となる。ステップ１００で否定判定された場合は、ステップ１０８へ移行する。
【００９０】
また、ステップ１００で肯定判定された場合は、ステップ１０２へ移行して、現在のレベルが「４」であるか否かを判断する。このレベル「４」は、エコモードから標準モードへ切り替えるしきい値である。
【００９１】
ステップ１０２で否定判定された場合は、現在のレベルが、エコモードから標準モードへ切り替えるしきい値ではない（レベル１〜レベル３）であると判断され、ステップ１０４へ移行して、温度を１段階上げる指示を実行し、ステップ１０６へ移行する。この場合、現在のモード（エコモード）が維持される。ステップ１０６では、温度調節スイッチ７０の昇温ボタン７０Ｕの操作が終了したか否かを判断する。このステップ１０６で肯定判定されると、ステップ１０８へ移行する。
【００９２】
ステップ１０８では、温度調節スイッチ７０の降温ボタン７０Ｄの操作を開始したか否かを判断する。なお、室内設定温度が最小設定レベルの場合は、この操作は無効となる。このステップ１０８で否定判定された場合は、このルーチンは終了する。
【００９３】
また、ステップ１０８で肯定判定された場合は、温度を１段階下げる指示を実行し、ステップ１１０へ移行する。この場合、現在のモードを維持するか切り替わるかは問わない。ステップ１１０では、温度調節スイッチ７０の降温ボタン７０Ｄの操作が終了したか否かを判断する。このステップ１１２で肯定判定されると、このルーチンは終了する。
【００９４】
一方、ステップ１０２において肯定判定されると、現在のレベルが、エコモードから標準モードへ切り替えるしきい値（レベル４）であると判断され、ステップ１１４へ移行する。
【００９５】
ステップ１１４では、長押しタイマーをリセット・スタートし、次いでステップ１１６へ移行して、長押しタイマーの計時が所定時間(例えば、２秒以上)経過したか否かを判断する。
【００９６】
このステップ１１６で否定判定された場合は、ステップ１１８へ移行して、温度調節スイッチ７０の昇温ボタン７０Ｕの操作が継続中であるか否かを判断し、肯定判定された場合は、ステップ１１６へ戻る。
【００９７】
また、ステップ１１６で肯定判定された場合は、昇温タイマーの計時が所定時間経過したと判断され、ステップ１２０へ移行して、温度を１段階上げる指示を実行し、ステップ１２２へ移行する。この場合、現在のモード（エコモード）が標準モードに切り替わる。ステップ１２２では、温度調節スイッチ７０の昇温ボタン７０Ｕの操作が終了したか否かを判断する。このステップ１２２で肯定判定されると、ステップ１２４へ移行する。ステップ１２４では、長押しタイマーをストップし、このルーチンは終了する。
【００９８】
以上説明したように、本実施の形態では、温度調節スイッチ７０の昇温ボタン７０Ｕの操作において、基本操作では、１回操作する毎に設定レベルが１段階上がるようになっているが、標準モードからエコモードへの切り替えしきい値（レベル４）では、温度調節スイッチ７０の昇温ボタン７０Ｕを長押し（例えば、２秒以上）しなければ、レベルが上がらないようにした。このため、不用意にエコモードから標準モードへ切り替わることが防止される。一方で、必要に応じて意図的なエコモードから標準モードへの切り替え操作が、例えば、２段階操作を強いる等、煩雑となることはない。
【００９９】
また、本実施の形態では、エコモードから標準モードへの切り替え操作を、温度調節スイッチ７０の昇温ボタン７０Ｕの長押し操作だけでなく、パワフルスイッチ７８の長押し操作によっても切り替え可能とした。特に、パワフルスイッチ７８の長押し操作による切り替えは、室内設定温度の段階を踏まず、現在の設定レベルに関係なく、一気にレベルまｘに移行することができるようにすれば、温度調節スイッチ７０の昇温ボタン７０Ｕの長押し操作とは差別化でき、利用者の利用形態に応じて、モード切替操作を選択する価値を見出すことができる。
【０１００】
なお、本実施の形態では、エコモードから標準モードへの切り替え時に、温度調節スイッチ７０の昇温ボタン７０Ｕの長押し操作、或いは、パワフルスイッチ７８の長押し操作を行うようにしたが、長押しに限定せず、「通常操作の異なる操作」であれば、連打操作、及び予め定めたパターン操作等（一例として、モールス信号操作）、他の操作であってもよい。
【０１０１】
「通常運転制御とホットダッシュ運転制御」
【０１０２】
床暖房システムにおいて、温水供給温度を４０℃〜６０℃（通常運転）と、６０℃〜８０℃（ホットダッシュ運転）に設定する場合の熱源機の動作を、図４に従い説明する。
【０１０３】
「通常運転制御」
【０１０４】
温水温度を４０℃〜６０℃にする場合は、図４（Ａ）に示すように、三方弁４６の、熱交換器出側管路側のポートが閉じられ、他のポートは開かれる。また、バイパス弁５０は開かれる。
【０１０５】
従って、温水は、ポンプ２２から熱交換器２４を通過する第１分岐管路３４と、通過しない第２分岐管路３６に別れる。熱交換器出側管路は、バイパス管路４８を介して戻りの管路４０に直接つながる。すなわち、熱交換器２４で加熱された温水がタンク２０に直接戻ることになる。
【０１０６】
一方、熱交換器２４を通過しない第２分岐管路３６は床暖房行きの管路３８につながり、タンク２０の温水が床暖房１４に送られる。
【０１０７】
床暖房１４からは、戻りの温水が戻りの管路４０を通って戻され、熱交換器２４を通過した温水の通るバイパス管路４８と合流してタンク２０に至る。
【０１０８】
すなわち、ポンプ２２から熱交換器２４への管路が分岐していることによって、床暖房循環管路中へは、熱交換器２４を通過しない比較的低温の温水が送られる。
【０１０９】
一方、熱交換器２４で加熱された温水がタンク２０に供給されて、タンク２０内の温水温度の低下を補う。
【０１１０】
この動作を継続して、高温の温水と低温の温水を混ぜて、適宜な温度の温水を発生させる。このとき、第２分岐管路３６に設けられた温度センサ４４で検知される温度が４０℃〜６０℃となるように、制御装置１６の燃焼制御部５４がファン２８及びガス比例弁３０を制御する。これにより、モード（エコモード又は標準モード）に応じて、約４０℃〜６０℃の温水が床暖房１４に供給される。
【０１１１】
「ホットダッシュ運転制御」
【０１１２】
温水温度を８０℃にする場合は、図４（Ｂ）に示すように、三方弁４６の、熱交換器２４を通過しない行きの管路側のポートが閉じられ、他のポートは開かれる。また、バイパス弁５０は閉じられる。
【０１１３】
従って、温水は、熱交換器２４から床暖房行きの管路３８を通って床暖房１４に送られ、床暖房１４から戻りの管路４０を通ってタンク２０に戻される。
【０１１４】
このとき、床暖房行きの管路３８に設けられた温度センサ４２で検知される温水温度が６０℃〜８０℃となるように、制御装置１６の燃焼制御部５４がファン２８及びガス比例弁３０を制御する。これにより、ホットダッシュ運転中は、６０℃〜８０℃（特に、８０℃）の温水が床暖房１４に供給される。
【０１１５】
（運転開始時のホットダッシュ制御）
【０１１６】
ここで、本実施の形態の床暖房装置では、運転開始時のホットダッシュ運転に際し、操作リモコン１８に設けた室温センサ１８Ａで検出した室温に基づいて、ホットダッシュ運転時間を制御している。
【０１１７】
床暖房装置の運転が開始されると、運転履歴情報により、例えば、開始前３０分以内に所定時間以上床暖房装置が運転されていたかを判断する。運転されていなければホットダッシュ運転を行う。また、開始前３０分以内に所定時間以上床暖房装置が運転が行われていれば、ホットダッシュ運転を行わず、通常運転を行う。
【０１１８】
ここで、ホットダッシュ運転は、予め固定実行時間（３０分）及び延長実行時間（最大３０分）が決められており、当該固定実行時間が経過し、室温センサ１８Ａに基づく延長実行時間が終了すれば通常運転が行われる。
【０１１９】
上記ホットダッシュ運転の固定実行時間が経過すると、運転制御部５２では、室温センサ１８Ａからの信号の監視を開始する。
【０１２０】
運転制御部５２では、予め目標となる室温Ｔｔと、室温センサ１８Ａで検出した温度Ｔｄとを比較する。
【０１２１】
比較の結果、Ｔｔ≦Ｔｄと判定された場合は、室温が目標値に到達しており、ホットダッシュ運転の能力を下げるべく、温水の設定温度を６０℃とする。
【０１２２】
また、Ｔｔ＞Ｔｄと判定された場合は、室温が目標値に到達していないと判断し、ホットダッシュ運転の能力を下げることなく延長する。この延長実行時間中のホットダッシュ制御では、例えば、６０℃〜８０℃までの中間温度の何れかの固定値でホットダッシュ運転を継続する。
【０１２３】
なお、ホットダッシュ運転の延長実行時間において、Ｔｔ＞Ｔｄと判定された場合にその差分ΔＴに応じて、６０℃〜８０℃までの中間温度を逐次変更してホットダッシュ運転を継続してもよい。差分ΔＴが大きければ大きいほど、温水の設定温度を高くすることで、ホットダッシュ運転機能による効果を高めることができる。
【０１２４】
「第２の実施の形態」
【０１２５】
以下に、本発明の第２の実施の形態について説明する。なお、第２の実施の形態は、基本的に、第１の実施の形態で示した構成（図１から図５）と同一であるため、説明は図１〜図５を流用するものとし、全体構成の説明は省略する。
第２の実施の形態の特徴は、パワフルスイッチ７８に、前述した第１の実施の形態において説明した機能とは異なる機能を持たせた点にある。すなわち、第１の実施の形態と第２の実施の形態との違いは、パワフルスイッチ７８の操作に関する仕様の違いである。
【０１２６】
比較例として、第１の実施の形態では、パワフルスイッチ７８を２秒未満の操作では現在のモード（エコモード又は標準モード）を維持した最大設定レベルに移行するようにした。
【０１２７】
また、第１の実施の形態では、パワフルスイッチ７８を２秒以上操作し続けると（長押し操作すると）、モード（エコモード又は標準モード）に関係なく、最大設定レベル（レベルｍａｘ）となるようにした。
【０１２８】
これに対して、第２の実施の形態では、ロックスイッチ８０の操作によりロックが解除されている状態（非ロック時）で、パワフルスイッチ７８が操作（操作秒数は問わない）される、ホットダッシュ運転と同等の運転（すなわち、温水の設定温度が８０℃）が実行される。
【０１２９】
また、第２の実施の形態では、ロックスイッチ８０の操作によりロックされている状態（ロック時）で、パワフルスイッチ７８が長押し操作されると、全ての設定レベルで、標準モード（温水が４０℃〜６０℃）となる。なお、パワフルスイッチ７８を含め、全てのスイッチにおいて、ロック時の単押し操作は無効である。
【０１３０】
ロック時のパワフルスイッチ７８の長押し操作によって、全ての設定レベルで標準モードとなった後、再度、当該ロック時のパワフルスイッチ７８の長押し操作によって、定常状態（設定レベル１〜４でエコモード、設定レベル５〜ｍａｘで標準モード）に戻すようにしてもよい。
【０１３１】
以下の表１に、パワフルスイッチ７８における、第１の実施の形態に基づく機能と、第２の実施の形態に基づく機能との対照関係を示す。
【０１３２】
【表１】
2019095149.tif 000003
【０１３３】
なお、第１の実施の形態及び第２の実施の形態において、パワフルスイッチ７８の長押し操作による機能が異なるが、温水温度が４０℃〜６０℃となる標準モードへ移行する点では共通している。言い換えれば、温水温度が４０℃〜６０℃となる標準モードへ移行する条件が成立していれば、それに付随する機能の違いは、第１の実施の形態及び第２の実施の形態に限定されるものではない。
【０１３４】
例えば、パワフルスイッチ７８での標準モード移行期間を時間で制限し、自動的にエコモードに戻る要件を加えてもよい。
【０１３５】
また、第１の実施の形態と第２の実施の形態とで、パワフルスイッチ７８の通常操作での機能（表１の項目１参照）を異ならせたが、何れかに統一してもよい。
【０１３６】
さらに、エコモードと標準モードとを区別する、設定レベルや温水温度等は、地域や季節、或いは型式によって変更するようにしてもよい。
【０１３７】
なお、第２の実施の形態では、パワフルスイッチ７８の長押し操作の有効条件（表１の項目４参照）として、ロックスイッチ８０の操作によるロック状態とした。これは、不必要に標準モードにならず、エコモード運転を継続することを促すための、所謂「ひとてま」操作である。
【０１３８】
逆に、「ひとてま」操作が不要であれば、ロック時又は非ロック時に限らず、パワフルスイッチ７８の長押し操作を有効としてもよい。
【０１３９】
また、第２の実施の形態では、何れの設定レベルであっても標準モードとする（表１の項目５参照）ためのスイッチ（長押し操作）として、パワフルスイッチ７８を選択したが、他のスイッチであってもよい。
【符号の説明】
【０１４０】
１０    床暖房システム
１２    熱源機
１４    床暖房
１６    制御装置
１８    操作リモコン
１８Ａ    室温センサ
２０    タンク
２２    ポンプ
２４    熱交換器
２６    バーナ
２８    ファン
３０    ガス比例弁
３２    ガス供給源
３４    第１分岐管路
３６    第２分岐管路
３８    行きの管路
４０    戻りの管路
４２    温度センサ
４４    温度センサ
４６    三方弁
４８    第２バイパス管路
５０    バイパス弁
５１    開閉弁
５２    運転制御部
５４    燃焼制御部
５６    メインパネル
５８    運転スイッチ
６０    タイマーランプ
６２    タイマーランプ
６４    表示部
６６    インジケータ
６８    配置領域
７０    温度調節スイッチ
７０Ｕ    昇温ボタン
７０Ｄ    降温ボタン
７２    タイマー入切スイッチ
７４    ひかえめスイッチ
７６    床暖房強さスイッチ
７８    パワフルスイッチ
８０    ロックスイッチ
８２    時計合わせスイッチ
８４    タイマー合わせスイッチ
８６    時刻スイッチ
８８    確定スイッチ
９０    タイマーリセットスイッチ
９２    レベルゲージ
９２Ａ    バー
９２Ｂ    縦軸
９２Ｃ    境界線
９２Ｄ    上限線
【図１】
2019095149.tif 000004
【図２】
2019095149.tif 000005
【図３】
2019095149.tif 000006
【図４】
2019095149.tif 000007
【図５】
2019095149.tif 000008